(57)【要約】  サードパーティ機器を監視するためのモニタリングシステム。本発明は、サードパーティ機器を監視するためのモニタリングシステム、とりわけ医療機器を監視するためのモニタリングシステムを対象とし、前記サードパーティ機器は、機器状態および／または関連する機器特性を指示するための信号装置を有し、モニタリング装置（２）は前記サードパーティ機器に配属されている。従来技術を出発点として、本発明では、監視対象であるサードパーティ機器の状態指示器自体に不具合がある場合でも機能する、当該サードパーティ機器の監視を実現することを課題とする。こうするために、本発明のモニタリングシステムでは、機器の状態指示器を検出、評価するのではなく、監視対象であるサードパーティ機器内部の、機器状態に比例する電流を誘導方式で検出、評価し、この評価結果に依存して場合によっては緊急信号を検出する。除細動器の監視。
2014514647.tif 000002
【特許請求の範囲】
【請求項１】
機器状態および／または関連の機器特性を指示するための信号装置を有するサードパーティ機器を監視するためのモニタリングシステムであって、
前記サードパーティ機器はとりわけ医療機器であり、
モニタリング装置（２）は、前記サードパーティ機器の筐体に入り込むことなく、および／または、前記サードパーティ機器の機能に介入することなく、前記サードパーティ機器に配属されている、モニタリングシステムにおいて、
前記モニタリング装置（２）は誘導式受信器を、有利にはコイル（３）を含み、
前記サードパーティ機器の機器状態および／または関連する機器特性を表す電流および／または電流変化が前記コイル（３）によって監視されるように、前記コイル（３）は前記サードパーティ機器の筐体に配属されている
ことを特徴とする、モニタリングシステム。
【請求項２】
前記コイル（３）は、監視対象である前記サードパーティ機器の筐体の外部において、監視対象である前記サードパーティ機器の電圧供給部の近傍に、とりわけ前記サードパーティ機器のバッテリー（４）の近傍に配置されている、
請求項１記載のモニタリングシステム。
【請求項３】
スリープモードで作動する、前記サードパーティ機器の機能を維持するため、とりわけ、前記サードパーティ機器の機器機能が正常であることの指示機能を維持するために必要な、当該サードパーティ機器内部の電流が、前記コイル（３）により検出される、
請求項１または２記載のモニタリングシステム。
【請求項４】
前記モニタリング装置がアクチュエータを用いて前記信号装置の状態指示をトリガし、その後、前記サードパーティ機器に配属された、前記モニタリング装置の受信ユニットの前記コイル（３）により、前記状態指示が検出され、その後、前記受信ユニットの記憶素子（１０）により前記状態指示が記憶され、および／または、評価ユニットが遠隔に設置されている場合には当該評価ユニットへ前記状態指示が伝送できるように、前記モニタリング装置が前記サードパーティ機器に結合されていることにより、前記サードパーティ機器は前記信号装置によって能動的に監視される、
請求項１から３までのいずれか１項記載のモニタリングシステム。
【請求項５】
前記コイル（３）を用いて、監視対象である前記サードパーティ機器の音声出力用の信号電流、および／または、監視対象である前記サードパーティ機器のセルフテスト用の信号電流が監視される、
請求項１から４までのいずれか１項記載のモニタリングシステム。
【請求項６】
前記コイル（３）は、検出した前記電流を用いて、監視対象である前記サードパーティ機器の機器状態および／または関連する機器特性と相関する周期的な信号を検出し、
評価ユニットが遠隔にある場合、前記周期的な信号は前記評価ユニット（６）へ伝送され、および／または、前記周期的な信号は遠隔問い合わせ可能である、
請求項１から５までのいずれか１項記載のモニタリングシステム。
【請求項７】
前記コイル（３）は検出ユニット内に組み込まれており、
前記検出ユニットは、前記コイル（３）により検出された信号を伝送および／または遠隔問い合わせするための無線伝送モジュール（５）を有する、
請求項６記載のモニタリングシステム。
【請求項８】
除細動器（１）を監視するための、請求項１から７までのいずれか１項記載のモニタリングシステムの使用。
【発明の詳細な説明】
【技術分野】
【０００１】
本発明は、機器状態および／または関連の機器特性を示すための信号装置を有するサードパーティ機器を監視するためのモニタリングシステムに関する。このサードパーティ機器はとりわけ医療機器であり、モニタリング装置は前記サードパーティ機器の筐体に侵入することなく、および／または、前記サードパーティ機器の機能に介入することなく、前記サードパーティ機器に配属される。
【０００２】
ポータブルの医療装置の状態情報を検出および伝送するための上述のようなモニタリングシステムは、本願出願前に欧州特許公報第１４３５０７６号から公知である。
【０００３】
緊急時に使用される生命維持機能を監視するための医療装置には通常、対応する機器が機能可能であることをシグナリングする指示器が設けられているにもかかわらず、この指示器は通常、日常的に使用するには十分ではない。たとえば、許可無く使用されるのを防止するため、除細動器等であるポータブル医療装置がキャビネットまたは箱等の中に保管されている場合、光学的または音響的な状態指示は通常気づかれないままになってしまう。
【０００４】
上記の従来技術を出発点として、上記の従来公知の技術では、指示された状態情報を検出し、場合によっては遠隔のモニタリング装置へ伝送できる機器を開発しなければならない。その際には通常、上述のような追加装置では、医療上の許可を失うことなく、監視対象である既存の機器に介入することはできないので、このような介入は可能な限り避けなければならないことに留意すべきである。したがって上述の従来公知の技術は、ポータブル医療装置の状態指示器の状態変化を検出するための検出装置を医療機器に配属することを提案している。この技術では、状態変化を検出するための受信器が伝送装置に結合されており、これにより、遠隔の受信器に設置された状態指示器の検出された状態変化が可能になる。
【０００５】
正しく理解していれば、上述の欧州特許公報において監視対象とされている状態指示器は光学的表示器であり、この光学的表示器は光学的検出装置によって監視される。これはまず第一に、モニタリング装置の受信器と状態指示器との間に、妨害されない光チャネルが実現されることを前提条件とする。しかし、監視対象の医療装置の位置および保管状態次第では、追加装置が監視対象の機器の状態指示器を直接見えるように、追加装置を監視対象の医療装置に配属することは、困難である場合が多い。しかし、もしこのように追加装置を配属することが保証されたとしても、光チャネルは多くの理由により‐たとえば散乱光または眩惑光により‐妨害されてしまい、このような場合には、監視対象機器の状態に何も変化が無くても、緊急信号が検出されてしまう可能性がある。上記欧州特許公報から公知のシステムではさらに、状態指示器の機能に障害が生じると、医療機器の機能に不具合がある場合と同様、緊急信号が引き起こされる。したがって従来公知の上記のモニタリング装置では、状態指示器が単に動作妨害を能動的に示すように構成されている場合、状態指示器に不具合がある場合には上記の従来公知のモニタリング装置は機能できなくなってしまう。
【０００６】
上述の従来技術を出発点として、本発明は、サードパーティ機器に状態指示器が設けられている場合にはこの状態指示器にモニタリング装置の機能が依存することなく、かつ、監視される前記機器と検出装置との間の光チャネルが妨害されていても、前記モニタリング装置の機能が機能する、サードパーティ機器用のモニタリング装置を、とりわけ医療装置用のモニタリング装置を実現することを課題とする。
【０００７】
本発明の前記課題は、独立請求項に記載の構成を有するシステムによって解決される。従属請求項２〜８から、本発明の有利な実施形態を導き出すことができる。
【０００８】
本発明の解決手段では状態指示器を監視せずに、機器技術上の機能を維持するために機器において必要な電流を監視することにより、機器に状態指示器が設けられている場合、前記監視は、この状態指示器の機能に依存することがなくなる。換言すると、状態指示器を監視するのではなく、機器の動作自体を監視するのである。このことは、コイルを用いて、電流の誘導現象を利用して、機器の動作に関連する電流を非接触で監視することにより実現される。モニタリング装置は誘導結合を利用して動作するので、モニタリングシステムは、状態指示器を直接的または間接的に見える位置にあるかないかに依存せずに機能することができる。
【０００９】
機器状態を誘導方式で監視する他の利点は、モニタリング装置が設置されても、監視対象である機器のユーザインタフェースを変更または妨害する必要がないことである。その他に、前記監視は機器状態を監視する他に、場合によっては、機器状態の可能性のある変化を監視することも可能である。
【００１０】
有利な実施形態では、前記コイルは有意の電流を検出するために、サードパーティ機器のバッテリーの近傍に配置される。この配置は、監視対象であるサードパーティ機器とりわけ医療機器は、常に動作可能かつ動作準備状態でなければならないが、常に動作状態にある訳ではなく、むしろスタンバイ状態にあることが多いという事実認識に基づく。このようなスタンバイ状態は通常、いわゆるスリープモードないしは節電モードと称され、このモードでは、危急の場合のために機器のスタンバイ状態を維持するのに必要な、機器の機能のみが維持される。つまり、少なくとも、スリープモードを維持するために必要な電流を機器が受け取っていれば、機器は機能することが可能である。この電流は、機器外部または機器内部の電圧供給部から出力される。すなわち、たとえば特定用途に特化した構成や配電網に依存しない機器設置の場合には、前記電流は、サードパーティ機器に組み込まれたバッテリーから出力される。ここで流れる電流を検出できるようにするためには、サードパーティ機器の電圧供給部ないしはバッテリーの近傍に、または、監視目的に有利な導体路の近傍に、コイルを配置する。
【００１１】
このような配置により、コイルを適切に配置すれば、スリープモードで作動する機能を維持するために必要な電流もこのコイルによって検出されることが実証された。
【００１２】
有利な実施形態では、モニタリングシステムを用いて実現されるサードパーティ機器の監視は、パッシブ応答型のモニタリングユニットに留まらず、モニタリングユニットに組み込まれたアクチュエータを用いて機器状態指示器を能動的に呼び出し、この機器状態指示器は、当該指示器および機器状態と相関する電流を引き起こすか、ないしは、コイルにより監視される電流の流れの相関する変化を引き起こし、この相関する電流ないしは相関する電流変化をコイルによって検出することも可能である。このような構成により、サードパーティ機器の能動的ひいては予防的な監視が実現される。
【００１３】
電流の誘導現象に起因して、コイルは、検出対象の電流に比例する交流電流ないしは周期的信号ないしはパルス信号を生成する。このような信号は、評価ユニットが遠隔にある場合には評価ユニットへ転送することができ、または、この遠隔の評価ユニットが上記信号を呼び出すこともできる。
【００１４】
本発明の有利な実施形態ではこうするために、コイルが組み込まれた検出ユニットに、前記コイルにより検出された信号を無線伝送および／または遠隔問い合わせするための無線伝送モジュールを備えつけることができる。
【００１５】
特に有利な用途では、前記モニタリングシステムを除細動器と共に使用する。この除細動器はとりわけ、公共の設備にて緊急時用に設置される。本発明のモニタリングシステムにより、危急の場合にも除細動器が機能できることが保証される。
【００１６】
以下、図面に概略的にのみ示された実施例を参照して、本発明を詳細に説明する。
【図面の簡単な説明】
【００１７】
【図１】除細動器用のモニタリングシステムのブロック回路図である。
【００１８】
まず最初に、図１のブロック回路図は、監視対象であるサードパーティ機器を含むモニタリングシステムを示し、このサードパーティ機器には、コイル３が組み込まれたモニタリング装置２が配属されている。前記サードパーティ機器は、この実施例では除細動器１である。この除細動器１は通常、公共に開放された建物内に緊急時用に提供されており、その場合には機能できる状態を維持するため、除細動器１は他の給電部に依存しない。すなわち、動作状態を維持するため除細動器１にバッテリー４が備えられている。その際には、コイル３が組み込まれたこのモニタリング装置２はバッテリー４の近傍に設置されることにより、除細動器１がスリープモードにあるときに当該除細動器１の基本的な動作可能状態を維持するために流れる電流を、誘導結合方式でコイル３により検出することができる。
【００１９】
誘導された交流電圧に起因して、前記コイル３は、除細動器１内部の監視対象である電流に比例する周期的な信号を生成する。その後、生成された前記信号、または、この信号に比例する信号は、無線伝送モジュール５を用いて、通常は遠隔にある評価ユニット６へ無線で伝送することができる。前記比例する信号はとりわけ、前記信号を測定アンプにより増幅したものである。前記無線伝送モジュール５もまた、前記モニタリング装置２に組み込まれている。前記評価ユニット６は通常、プロセッサユニット７と、前記モニタリング装置２から伝送された信号を記憶するための記憶素子１０とを含む。モニタリング装置２から評価ユニット６へ伝送された信号が所定の閾値を上回るかまたは下回る場合、前記評価ユニット６は警報信号を検出する。この警報信号は通常、無線または有線で中央データ処理ユニット１１へ直接、たとえば緊急コールセンタまたはサービスセンタへ直接供給される。その後、サービスセンタは、監視対象のサードパーティ機器を交換または修理するように技術者に依頼する。このことは、本願にて開示している発明の対象ではない。
【００２０】
上記で説明した、とりわけ医療緊急用機器の監視用のモニタリングシステムは、監視対象である医療機器の状態指示器に依存せずに機器状態自体を、とりわけ機器の動作可能状態を検出し、場合によっては遠隔の評価ユニットへ伝送することにより、分散的に設置された医療装置の機能可能状態を、とりわけ除細動器の機能可能状態を、中央ユニットから監視し、場合によってはこの医療装置を修理、保守または交換できるようにしたものである。
【符号の説明】
【００２１】
１    除細動器
２    モニタリング装置
３    コイル
４    バッテリー
５    無線伝送モジュール
６    評価ユニット
７    プロセッサユニット
１０  記憶素子
１１  データ処理ユニット
【図１】
2014514647.tif 000003
【手続補正書】
【提出日】平成25年2月4日(2013.2.4)
【手続補正１】
【補正対象書類名】特許請求の範囲
【補正対象項目名】全文
【補正方法】変更
【補正の内容】
【特許請求の範囲】
【請求項１】
機器状態および／または関連の機器特性を指示するための信号装置を有するサードパーティ機器を監視するためのモニタリングシステムであって、
前記サードパーティ機器はとりわけ医療機器であり、
モニタリング装置（２）は、前記サードパーティ機器の筐体に入り込むことなく、および／または、前記サードパーティ機器の機能に介入することなく、前記サードパーティ機器に配属されている、モニタリングシステムにおいて、
前記サードパーティ機器は、非インプラント用の医療機器、有利には、非インプラント用の除細動器であり、
前記モニタリング装置（２）は誘導式受信器を、有利にはコイル（３）を含み、
前記サードパーティ機器の機器状態および／または関連する機器特性を表す電流および／または電流変化が前記コイル（３）によって監視されるように、前記コイル（３）は前記サードパーティ機器の筐体に配属されている
ことを特徴とする、モニタリングシステム。
【請求項２】
前記コイル（３）は、監視対象である前記サードパーティ機器の筐体の外部において、監視対象である前記サードパーティ機器の電圧供給部の近傍に、とりわけ前記サードパーティ機器のバッテリー（４）の近傍に配置されている、
請求項１記載のモニタリングシステム。
【請求項３】
スリープモードで作動する、前記サードパーティ機器の機能を維持するため、とりわけ、前記サードパーティ機器の機器機能が正常であることの指示機能を維持するために必要な、当該サードパーティ機器内部の電流が、前記コイル（３）により検出される、
請求項１または２記載のモニタリングシステム。
【請求項４】
前記モニタリング装置がアクチュエータを用いて前記信号装置の状態指示をトリガし、その後、前記サードパーティ機器に配属された、前記モニタリング装置の受信ユニットの前記コイル（３）により、前記状態指示が検出され、その後、前記受信ユニットの記憶素子（１０）により前記状態指示が記憶され、および／または、評価ユニットが遠隔に設置されている場合には当該評価ユニットへ前記状態指示が伝送できるように、前記モニタリング装置が前記サードパーティ機器に結合されていることにより、前記サードパーティ機器は前記信号装置によって能動的に監視される、
請求項１から３までのいずれか１項記載のモニタリングシステム。
【請求項５】
前記コイル（３）を用いて、監視対象である前記サードパーティ機器の音声出力用の信号電流、および／または、監視対象である前記サードパーティ機器のセルフテスト用の信号電流が監視される、
請求項１から４までのいずれか１項記載のモニタリングシステム。
【請求項６】
前記コイル（３）は、検出した前記電流を用いて、監視対象である前記サードパーティ機器の機器状態および／または関連する機器特性と相関する周期的な信号を検出し、
評価ユニットが遠隔にある場合、前記周期的な信号は前記評価ユニット（６）へ伝送され、および／または、前記周期的な信号は遠隔問い合わせ可能である、
請求項１から５までのいずれか１項記載のモニタリングシステム。
【請求項７】
前記コイル（３）は検出ユニット内に組み込まれており、
前記検出ユニットは、前記コイル（３）により検出された信号を伝送および／または遠隔問い合わせするための無線伝送モジュール（５）を有する、
請求項６記載のモニタリングシステム。
【請求項８】
非インプラント用の除細動器（１）を監視するための、請求項１から７までのいずれか１項記載のモニタリングシステムの使用。
【国際調査報告】
2014514647.tif 000004
2014514647.tif 000005
2014514647.tif 000006
2014514647.tif 000007